(57)【要約】【課題】結合された結合部材と被結合部材の外観デザイン性を損なわず、結合部材と被結合部材の分離作業が容易な結合構造及びその結合構造を備えた外装カバー構造並びにその外装カバー構造を備えた電子機器を提供すること。【解決手段】結合部材１１にフック部１３を設け、被結合部材１２にフック係止部１４を設け、フック部もしくはフック係止部の近傍にスリット部１５を設け、フック係止部とフック部とを係止して結合部材と被結合部材を結合し、スリット部から長尺板材１６を差し込んでフック係止部とフック部とを係止解除して結合部材と被結合部材を分離する。これにより、フック係止部からフック部を外すための長尺板材が差し込まれる部分は幅の狭い切込みであるので、特に塞がなくても外観デザイン性が損なわれることはなく、また、長尺板材をスリット部から差し込むのみで良いので、結合部材と被結合部材を容易に分離することができる。【選択図】図１
2008038982.tif 000002
【特許請求の範囲】
【請求項１】
結合部材と被結合部材の結合構造であって、
前記結合部材にフック部を設け、前記被結合部材にフック係止部を設け、更に前記フック部もしくは前記フック係止部の近傍にスリット部を設け、前記フック係止部と前記フック部とを係止して前記結合部材と前記被結合部材を結合し、前記スリット部から長尺板材を差し込んで前記フック係止部と前記フック部とを係止解除して前記結合部材と前記被結合部材を分離することを特徴とする結合構造。
【請求項２】
前記結合部材もしくは前記被結合部材の内側に内側部材を備え、前記結合部材もしくは前記被結合部材と前記内側部材の間に前記長尺板材の挿抜経路が形成されていることを特徴とする請求項１に記載の結合構造。
【請求項３】
前記フック係止部は、前記スリット部から差し込まれる前記長尺板材の先端により押圧されて撓むことにより、前記フック部から外されることを特徴とする請求項１又は２に記載の結合構造。
【請求項４】
前記フック部は、前記長尺板材の先端が当接する傾斜面を備えていることを特徴とする請求項１〜３の何れか一項に記載の結合構造。
【請求項５】
前記スリット部は、前記結合部材もしくは前記被結合部材に形成されている外装部分付近に設けられていることを特徴とする請求項１〜４の何れか一項に記載の結合構造。
【請求項６】
前記フック係止部に係止された前記フック部の位置を標示するマークが、前記スリット部近傍に設けられていることを特徴とする請求項１〜５の何れか一項に記載の結合構造。
【請求項７】
前記外装部分は、結合された前記結合部材と前記被結合部材における外観上で段差となっていることを特徴とする請求項５又は６に記載の結合構造。
【請求項８】
分離可能な外装カバーを備えた外装カバー構造であって、
請求項１〜７の何れか一項に記載の結合構造を備えたことを特徴とする外装カバー構造。
【請求項９】
請求項８に記載の外装カバー構造を備えたことを特徴とする電子機器。
【発明の詳細な説明】
【技術分野】
【０００１】
本発明は、結合部材と被結合部材の結合構造及びその結合構造を備えた外装カバー構造並びにその外装カバー構造を備えた電子機器に関する。
【背景技術】
【０００２】
電子機器の本体ベースに外装カバーを結合する構造として、外装カバーの外壁に開口を設けると共に内部に先端が屈曲したフック及び開口を有するタブを設け、本体ベースに上記フックと係合する切欠きを設けた結合構造が提案されている。このような構成において、本体ベースに外装カバーを結合する場合は、フックを切欠きに係合し、外壁の開口をキャップにより塞ぐ。また、本体ベースから外装カバーを分離する場合は、外壁の開口からキャップを外し、ドライバ等の先端を外壁の開口から内部に挿入し、タブの開口に引っ掛けて持ち上げることによりフックを切欠きから外す（特許文献１参照）。
【０００３】
【特許文献１】特許３２４５５０８号公報
【発明の開示】
【発明が解決しようとする課題】
【０００４】
上述した従来の結合構造では、外装カバーの外壁に開口が大きく開いているのでキャップにより塞いで外観デザイン性を保っているが、取外し可能なキャップであるため、紛失するおそれがある。また、ドライバ等の先端を外装カバーの外壁の開口から内部に挿入してタブの開口に引っ掛ける必要があるが、手探りな状態で行う必要があるため困難な作業となるおそれがある。
【０００５】
本発明は、上記のような課題に鑑みなされたものであり、その目的は、結合された結合部材と被結合部材の外観デザイン性を損なわず、結合部材と被結合部材の分離作業が容易な結合構造及びその結合構造を備えた外装カバー構造並びにその外装カバー構造を備えた電子機器を提供することにある。
【課題を解決するための手段】
【０００６】
上記目的達成のため、本発明の結合構造では、結合部材と被結合部材の結合構造であって、前記結合部材にフック部を設け、前記被結合部材にフック係止部を設け、更に前記フック部もしくは前記フック係止部の近傍にスリット部を設け、前記フック係止部と前記フック部とを係止して前記結合部材と前記被結合部材を結合し、前記スリット部から長尺板材を差し込んで前記フック係止部と前記フック部とを係止解除して前記結合部材と前記被結合部材を分離することを特徴としている。これにより、フック係止部とフック部とを外すための長尺板材が差し込まれる部分は幅の狭い切込みであるので、特に塞がなくても外観デザイン性が損なわれることはなく、また、長尺板材をスリット部から差し込むのみで良いので、結合部材と被結合部材を容易に分離することができる。
【０００７】
また、前記結合部材もしくは前記被結合部材の内側に内側部材を備え、前記結合部材もしくは前記被結合部材と前記内側部材の間に前記長尺板材の挿抜経路が形成されていることを特徴としている。これにより、長尺板材をスリットから差し込むのみで、フック係止部に係止されたフック部の位置まで挿抜経路により案内されるので、フック係止部からフック部を確実に外すことができる。また、前記フック係止部は、前記スリット部から差し込まれる前記長尺板材の先端により押圧されて撓むことにより、前記フック部から外されることを特徴としている。これにより、長尺板材をスリット部から差し込む動作のみで、結合部材と被結合部材を容易に分離することができる。
【０００８】
また、前記フック部は、前記長尺板材の先端が当接する傾斜面を備えていることを特徴としている。これにより、長尺板材をスリット部から差し込む動作のみで、フック係止部を上記差込方向と略直角方向に撓ませてフック部から容易に外すことができる。また、前記スリット部は、前記結合部材もしくは前記被結合部材に形成されている外装部分付近に設けられていることを特徴としている。これにより、スリット部を外装部分と外観デザイン上融合させて目立たなくすることができる。前記フック係止部に係止された前記フック部の位置を標示するマークが、前記スリット部近傍に設けられていることを特徴としている。これにより、結合部材と被結合部材の分離作業を確実且つ迅速に開始することができる。前記外装部分は、結合された前記結合部材と前記被結合部材における外観上で段差となっていることを特徴としている。これにより、スリット部やフック部及びフック係止部が外観上視認し難くなるので、外観デザイン性が損なわれることはない。
【０００９】
上記目的達成のため、本発明の外装カバー構造は、分離可能な外装カバーを備えた外装カバー構造であって、上記各結合構造を備えたことを特徴としている。また、上記目的達成のため、本発明の電子機器は、上記外装カバー構造を備えたことを特徴としている。これにより、上記各作用効果を奏する外装カバー構造又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１（Ａ）〜（Ｄ）は、本発明の一実施の形態に係る結合構造の係止状態及び係止解除状態を示す斜視図である。この結合構造１０は、図１（Ａ）に示すように、結合部材１１の縁部（以下、結合縁部という）１１ａと被結合部材１２の縁部（以下、結合縁部という）１２ａを当接させて結合部材１１と被結合部材１２を結合する機能を有している。結合部材１１にはフック部１３が一体的に設けられ、被結合部材１２にはフック係止部１４が一体的に設けられていると共に、このフック係止部１４の近傍にスリット部１５が設けられている。更に、被結合部材１２のフック係止部１４とスリット部１５の間には、スリット部１５から差し込まれる後述する長尺板材１６をフック部１３が係止されたフック係止部１４へ案内する案内部１７が設けられている。
【００１２】
フック部１３は、略三角柱状に形成されており、結合部材１１の結合縁部１１ａ近傍において結合縁部１１ａから見てフック部１３の一傾斜面１３ａが立ち上がるように突設されている。フック係止部１４は、略矩形板状に形成されており、被結合部材１２の結合縁部１２ａから外側、即ち結合部材１１側に向かって飛び出すように配設されている。そして、このフック係止部１４の略中央には、フック部１３が嵌り込むことが可能な略矩形状のフック穴１４ａが穿設され、フック係止部１４における被結合部材１２の結合縁部１２ａ側には、フック穴１４ａと並列で略平行な門形状の門形穴１４ｂが穿設されている。スリット部１５は、溝状に形成されており、被結合部材１２の結合縁部１２ａから内側であって門形穴１４ｂと並列で略平行に穿設されている。案内部１７は、門形穴１４ｂと同形状の案内穴１７ａを有するトンネル状に形成されており、被結合部材１２の結合縁部１２ａから内側であってフック係止部１４の門形穴１４ｂとスリット部１５の間に並列で略平行に設けられている。
【００１３】
このような構成において、結合部材１１と被結合部材１２を結合する場合は、結合部材１１の結合縁部１１ａに被結合部材１２の結合縁部１２ａを近付けて、フック係止部１４の先端をフック部１３の一傾斜面１３ａに沿わせる。このとき、フック係止部１４の先端はフック部１３の一傾斜面１３ａに押圧され、フック係止部１４は被結合部材１２の結合縁部１２ａ側を支点として撓むことになる。そして、結合部材１１の結合縁部１１ａに被結合部材１２の結合縁部１２ａが当接すると同時に、フック係止部１４の先端はフック部１３の一傾斜面１３ａを乗り越えて、フック係止部１４のフック穴１４ａ内にフック部１３が嵌り込む。以上により、図１（Ａ）に示すように、結合部材１１と被結合部材１２は結合される。
【００１４】
一方、結合部材１１と被結合部材１２を分離する場合は、図１（Ｂ）に示すように、例えばスケール等の帯板状の長尺板材１６を被結合部材１２の図示裏側からスリット部１５内を通して、結合縁部１２ａに向けて図示矢印ａ方向に斜めに差し込む。そして、図１（Ｃ）に示すように、その長尺板材１６を更に差し込んで案内部１７の案内穴１７ａ内からフック係止部１４の門形穴１４ｂ内を通し、長尺板材１６の先端をフック部１３の一傾斜面１３ａに沿わせる。スリット部１５から差し込まれる長尺板材１６は、案内部１７の案内穴１７ａに案内されるので、フック係止部１４の門形穴１４ｂからフック部１３の一傾斜面１３ａに確実に到達する。このとき、長尺板材１６の先端はフック部１３が嵌り込んでいるフック係止部１４を押圧するので、フック係止部１４は被結合部材１２の結合縁部１２ａ側を支点として図示矢印ｂ方向に撓むことになる。従って、フック係止部１４のフック穴１４ａはフック部１３から外れるので、図１（Ｄ）に示すように、被結合部材１２を結合部材１１から分離することができる。このように、長尺板材１６をスリット部１５から差し込むのみで良いので、結合部材１１と被結合部材１２を容易に分離することができる。尚、スリット部１５は、広く開口した穴では無く、幅の狭い切込みであるので、特に塞がなくても外観デザイン性が損なわれることはない。
【００１５】
図２は、本発明の一実施の形態に係る結合構造を備えた電子機器である記録装置の外観構成の全体を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙に記録することができる機能を備えている。このインクジェット式プリンタ１００は、図１に示すように、全体が略直方体状のハウジング１０１で覆われている。
【００１６】
このハウジング１０１は、フロントハウジング（結合部材）１０１ａとサイドハウジング（被結合部材）１０１ｂ、１０１ｃが結合・分離可能に構成されており、フロントハウジング１０１ａとサイドハウジング１０１ｂ、１０１ｃに図示一点鎖線で囲む本実施形態の結合構造２０が設けられている。即ち、サイドハウジング１０１ｂ（サイドハウジング１０１ｃ側は図示しないが同様）には、装置内部で発生する熱を放熱するための帯状の放熱穴（外装部分）１０３が背面側から前面側にかけて設けられており、この放熱穴１０３の前面側先端部分近傍に結合構造２０が設けられている。サイドハウジング１０１ｂ、１０１ｃの内側には、更にミドルハウジング（内側部材）１０１ｄが配設されており、放熱穴１０３は、ミドルハウジング１０１ｄに格子状に穿孔されている複数の放熱孔１０１ｄａを露出させている。従って、放熱穴１０３は、サイドハウジング１０１ｂ、１０１ｃの表面に対し段差を付けて設けられることになるため、結合構造２０は外観上、特に装置前面側から視認し難くなり、外観デザイン性が損なわれることはない。また、結合構造２０の位置を標示するマーク２９が、放熱穴１０３の前面側先端部分に設けられているので、フロントハウジング１０１ａとサイドハウジング１０１ｂの分離作業を確実且つ迅速に開始することができる。尚、この結合構造２０の詳細については後述する。
【００１７】
ハウジング１０１の上部開口部は、開閉自在なカバー１０２によって覆われている。このカバー１０２は、後端の回転軸を中心に図示矢印ａ方向に回動可能に取り付けられている。ユーザは、カバー１０２を開放することにより、インクカートリッジの交換作業や内部機構のメンテナンス作業等を容易に行うことができる。また、ハウジング１０１の上面における前面側には操作部１１０が配設され、上面における背面側には給紙部１２０が配設され、前面側には排紙部１３０が配設されている。
【００１８】
操作部１１０は、押しボタン式のパワー系及び操作系のスイッチ１１１が配設されている。給紙部１２０は、上方に向かって矩形状に開口した給紙口１２１を開閉する機能と、給紙する用紙を１枚もしくは複数枚サポートする機能を併せ持ったペーパーサポート１２２を備えている。このペーパーサポート１２２は、後端の回転軸を中心に図示矢印ｂ方向に回動可能に取り付けられている。ユーザは、インクジェット式プリンタ１００を使用又は不使用のときは、ペーパーサポート１２２の両側に指を掛けてペーパーサポート１２２を開閉することができるので、用紙の差し入れを容易に行うことができ、また給紙口１２１内への埃の侵入を防止することができる。
【００１９】
排紙部１３０は、前方に向かって矩形状に開口した排紙口１３１を開閉する機能と、内部に設けられた排紙される用紙を１枚もしくは複数枚スタックする図示しないスタッカを覆う機能を併せ持ったカバースタッカ１３２を備えている。このカバースタッカ１３２は、下端の回転軸を中心に図示矢印ｃ方向に回動可能に取り付けられている。ユーザは、インクジェット式プリンタ１００を使用又は不使用のときは、カバースタッカ１３２の上部に指を掛けてカバースタッカ１３２を開閉することができるので、セッティングを容易に行うことができ、また排紙口１３１内への埃の侵入を防止することができる。更に、記録後の用紙は常に前面側から排紙されるので、ユーザは用紙を容易に取り出すことができる。
【００２０】
図３及び図４は、上記ハウジング１０１を内側から見たときの上記結合構造２０による結合状態及び分離状態を示す斜視図である。尚、図ではフロントハウジング１０１ａとサイドハウジング１０１ｂの結合構造２０を示すが、フロントハウジング１０１ａとサイドハウジング１０１ｃの結合構造２０も同様である。この結合構造２０は、フック部２１、フック係止部２２及びスリット部２３を備えており、フロントハウジング１０１ａの縁部（以下、結合縁部という）１０１ａａとサイドハウジング１０１ｂの縁部（以下、結合縁部という）１０１ｂａを当接させてフロントハウジング１０１ａとサイドハウジング１０１ｂを結合する機能を有している。
【００２１】
フック部２１は、略三角柱状に形成されており、フロントハウジング１０１ａの結合縁部１０１ａａ近傍において結合縁部１０１ａａから見てフック部２１の一傾斜面２１ａが立ち上がるように一体的に突設されている。フック係止部２２は、略矩形板状に形成されており、サイドハウジング１０１ｂの結合縁部１０１ｂａから外側、即ちフロントハウジング１０１ａ側に向かって飛び出すように配設されている。そして、このフック係止部２２の略中央には、フック部２１が嵌り込むことが可能な略矩形状のフック穴２２ａが穿設され、フック係止部２２におけるサイドハウジング１０１ｂの結合縁部１０１ｂａ側には、フック穴２２ａと並列で略平行な門形状の門形穴２２ｂが穿設されている。スリット部２３は、サイドハウジング１０１ｂに設けられている放熱穴１０３の前面側先端部分に門形穴２２ｂと並列で略平行に設けられている。即ち、放熱穴１０３の縁周内部にはリブ１０３ａが突設されており、このリブ１０３ａの前面側先端部分が削られることによりスリット部２３として形成されている。このように、スリット部２３は、放熱穴１０３付近に設けられているので、スリット部２３を放熱穴１０３と外観デザイン上融合させて目立たなくすることができる。
【００２２】
このような構成において、フロントハウジング１０１ａとサイドハウジング１０１ｂを結合する場合を図３及び図４を参照して説明する。図４に示すように、フロントハウジング１０１ａの結合縁部１０１ａａにサイドハウジング１０１ｂの結合縁部１０１ｂａを近付けて、フック係止部２２の先端をフック部２１の一傾斜面２１ａに沿わせる。このとき、フック係止部２２の先端はフック部２１の一傾斜面２１ａに押圧され、フック係止部２２はサイドハウジング１０１ｂの結合縁部１０１ｂａ側を支点として撓むことになる。そして、図３に示すように、フロントハウジング１０１ａの結合縁部１０１ａａにサイドハウジング１０１ｂの結合縁部１０１ｂａが当接すると同時に、フック係止部２２の先端はフック部２１の一傾斜面２１ａを乗り越えて、フック係止部２２のフック穴２２ａ内にフック部２１が嵌り込む。以上により、フロントハウジング１０１ａとサイドハウジング１０１ｂを結合することができる。
【００２３】
一方、フロントハウジング１０１ａとサイドハウジング１０１ｂを分離する場合を図５〜図９を参照して説明する。図５に示すように、サイドハウジング１０１ｂの放熱穴１０３に例えばスケール等の帯板状の長尺板材２４を沿わせ、放熱穴１０３の前面側先端部分に形成されているスリット部２３に長尺板材２４を差し込む。このとき、図６に示すように、長尺板材２４は、スリット部２３の上下のリブ１０３ａに案内されると共に、サイドハウジング１０１ｂとミドルハウジング１０１ｄの間に形成される空間が長尺板材２４の挿抜経路１０１ｅとなって案内されるので、フック係止部２２の門形穴２２ｂに確実に到達することになる。
【００２４】
そして、図７に示すように、その長尺板材２４を更に差し込んで門形穴２２ｂ内を通し、長尺板材２４の先端をフック部２１の一傾斜面２１ａに沿わせる。このとき、長尺板材２４の先端はフック部２１が嵌り込んでいるフック係止部２２を押圧するので、フック係止部２２はサイドハウジング１０１ｂの結合縁部１０１ｂａ側を支点として図示矢印a方向に撓むことになる。従って、フック係止部２２のフック穴２２ａはフック部２１から外れることになる。そして、図８及び図９に示すように、サイドハウジング１０１ｂをフロントハウジング１０１ａから分離することができる。
【００２５】
以上のように、本実施形態の結合構造２０によれば、長尺板材２４をスリット部２３から差し込むのみで、フック係止部２２に係止されたフック部２１の位置に案内されて、フック係止部２２からフック部２１を確実に外すことができるので、サイドハウジング１０１ｂとフロントハウジング１０１ａを容易に分離することができる。このスリット部２３は、広く開口した穴では無く、幅の狭い切込みであるので、特に塞がなくても外観デザイン性が損なわれることはない。また、フック係止部２２は、長尺板材２４の先端により押圧されて撓むことにより、フック部２１から外されるので、長尺板材２４の差し込み動作のみでサイドハウジング１０１ｂとフロントハウジング１０１ａを容易に分離することができる。また、フック部２１は、長尺板材２４の先端が当接する傾斜面２１ａを備えているので、フック係止部２２を長尺板材２４の差し込み方向と略直角方向に撓ませることができる。
【００２６】
尚、上述した実施形態では、フロントハウジング１０１ａにフック部２１を設け、サイドハウジング１０１ｂ、１０１ｃにフック係止部２２を設けたが、フロントハウジング１０１ａにフック係止部２２を設け、サイドハウジング１０１ｂ、１０１ｃにフック部２１を設けても良い。また、サイドハウジング１０１ｂ、１０１ｃにスリット部２３を設けたが、フロントハウジング１０１ａにスリット部２３を設けても良い。また、サイドハウジング１０１ｂ、１０１ｃとミドルハウジング１０１ｄの間に長尺板材２４の挿抜経路１０１ｅを形成したが、サイドハウジング１０１ｂ、１０１ｃに一体的に挿抜経路１０１ｅを形成しても良い。また、スリット部２３を放熱穴１０３近傍に設けたが、フロントハウジング１０１ａやサイドハウジング１０１ｂ、１０１ｃに形成されている外装部分近傍であっても良い。
【産業上の利用可能性】
【００２７】
結合構造は、外装カバー構造以外であっても分離・結合可能な構造部材であれば適用可能である。また、外装カバー構造を備えた電子機器であれば、例えばファクシミリ装置、コピー装置、スキャナ等の記録装置を含む一般的な電子機器であっても適用可能である。
【図面の簡単な説明】
【００２８】
【図１】本発明の一実施の形態に係る結合構造を示す斜視図である。
【図２】本発明の一実施の形態に係る結合構造を備えた電子機器である記録装置の外観構成の全体を示す斜視図である。
【図３】図２のプリンタのハウジングを内側から見たときの上記結合構造による結合状態を示す斜視図である。
【図４】図２のプリンタのハウジングを内側から見たときの上記結合構造による分離状態を示す斜視図である。
【図５】図３の結合構造を分離するときの手順を示す第１の図である。
【図６】図３の結合構造を分離するときの手順を示す第２の図である。
【図７】図３の結合構造を分離するときの手順を示す第３の図である。
【図８】図３の結合構造を分離するときの手順を示す第４の図である。
【図９】図３の結合構造を分離するときの手順を示す第５の図である。
【符号の説明】
【００２９】
１０、２０  結合構造、１１  結合部材、１２  被結合部材、１３、２１  フック部、１３ａ、２１ａ  一傾斜面、１４、２２  フック係止部、１４ａ、２２ａ  フック穴、１４ｂ、２２ｂ  門形穴、１５、２３  スリット部、１６、２４  長尺板材、１７  案内部、１７ａ  案内穴、２９  マーク、１００  インクジェット式プリンタ、１０１  ハウジング、１０１ａ  フロントハウジング、１０１ｂ、１０１ｃ  サイドハウジング、１０１ｄ  ミドルハウジング、１０１ｅ  挿抜経路、１０３  放熱穴、１１０  操作部、１２０  給紙部、１３０  排紙部
【図１】
2008038982.tif 000003
【図２】
2008038982.tif 000004
【図３】
2008038982.tif 000005
【図４】
2008038982.tif 000006
【図５】
2008038982.tif 000007
【図６】
2008038982.tif 000008
【図７】
2008038982.tif 000009
【図８】
2008038982.tif 000010
【図９】
2008038982.tif 000011